(57)【要約】      （修正有）【課題】ユーザが二つ折りの携帯端末を把持した際に、二つの筐体の何れか一方のユーザが把持した筐体の表示部へ操作用画面を精度良く出力する携帯端末を提供する。【解決手段】二つの筐体がそれぞれ、該筐体をユーザが把持した圧力を検知する圧力センサと、該筐体をユーザが把持した際の温度を検知する温度センサとを内部に具備する。二つの筐体がヒンジを軸として開状態となったことを検知し、開状態である場合に、二つの筐体のうちの何れか一方の筐体に具備された圧力センサで圧力を検知したか、または当該一方の筐体に具備された前記温度センサで温度を検知したか、を判定する。そして、圧力を検知した圧力センサ、または温度を検知した温度センサを具備した筐体に備えられた表示部への操作用画面の表示を制御する。【選択図】図１
2012118771.tif 000002
【特許請求の範囲】
【請求項１】
二つの筐体がヒンジによって連結され、前記ヒンジを軸として開閉自在の二つ折り携帯端末であって、
前記二つの筐体がそれぞれ、該筐体をユーザが把持した圧力を検知する圧力センサと、該筐体をユーザが把持した際の温度を検知する温度センサとを内部に具備し、
前記二つの筐体が前記ヒンジを軸として開状態となったことを検出する開閉検出部と、
前記開状態である場合に、前記二つの筐体のうちの何れか一方の筐体に具備された前記圧力センサで圧力を検知したか、または前記一方の筐体に具備された前記温度センサで温度を検知したか、を判定するセンサ検知有無判定部と、
前記圧力を検知した圧力センサ、または前記温度を検知した温度センサを備えた筐体の表示部への操作用画面の表示を制御する画面制御部と、
を備えることを特徴とする携帯端末。
【請求項２】
前記画面制御部は、
前記一方の筐体に具備された前記圧力センサにおいて圧力を検知した場合、または前記一方の筐体に具備された温度センサにおいて前記温度を検知した場合には、当該一方の筐体に具備された表示部への操作用画面の表示を行い、
前記一方の筐体に具備された前記圧力センサにおいて圧力を検知しない場合、または前記一方の筐体に具備された温度センサにおいて前記温度を検知しない場合には、他方の筐体に具備された表示部への操作用画面の表示を行う
ことを特徴とする請求項１に記載の携帯端末。
【請求項３】
前記二つの筐体がそれぞれ、前記ユーザの音声を検知するマイクと、音声を発するスピーカとを具備し、
前記画面制御部は、
前記二つの筐体に具備された何れの前記圧力センサにおいても圧力を検知しない場合、または前記二つの筐体に具備された何れの温度センサにおいても前記温度を検知しない場合であって、
前記一方の筐体に具備された前記マイクにおいて音を検知した場合には、当該一方の筐体に具備された表示部への操作用画面の表示を行い、
前記一方の筐体に具備された前記マイクにおいて音を検知しない場合には、他方の筐体に具備された表示部への操作用画面の表示を行う
ことを特徴とする請求項２に記載の携帯端末。
【請求項４】
前記二つの筐体がそれぞれ前記表示部に指接触検知手段を具備し、
前記画面制御部によって前記操作用画面を表示すると判定された筐体とは異なる筐体の前記表示部に具備された指接触手段の動作を停止する動作停止部と、
を備えることを特徴とする請求項１から請求項３の何れか一項に記載の携帯端末。
【請求項５】
二つの筐体がヒンジによって連結され、前記ヒンジを軸として開閉自在の二つ折り携帯端末であって、
前記二つの筐体がそれぞれ、該筐体をユーザが把持した圧力を検知する圧力センサと、該筐体をユーザが把持した際の温度を検知する温度センサとを内部に具備した前記携帯端末における処理方法であって、
開閉検出部が、前記二つの筐体が前記ヒンジを軸として開状態となったことを検知し、
センサ検知有無判定部が、前記開状態である場合に、前記二つの筐体のうちの何れか一方の筐体に具備された前記圧力センサで圧力を検知したか、または前記一方の筐体に具備された前記温度センサで温度を検知したか、を判定し、
画面制御部が、前記圧力を検知した圧力センサ、または前記温度を検知した温度センサを備えた筐体の表示部への操作用画面の表示を制御し、
前記画面制御部は、
前記一方の筐体に具備された前記圧力センサにおいて圧力を検知した場合、または前記一方の筐体に具備された温度センサにおいて前記温度を検知した場合には、当該一方の筐体に具備された表示部への操作用画面の表示を行い、
前記一方の筐体に具備された前記圧力センサにおいて圧力を検知しない場合、または前記一方の筐体に具備された温度センサにおいて前記温度を検知しない場合には、他方の筐体に具備された表示部への操作用画面の表示を行う
ことを特徴とする処理方法。
【請求項６】
前記二つの筐体がそれぞれ、前記ユーザの音声を検知するマイクと、音声を発するスピーカとを具備し、
前記画面制御部は、
前記二つの筐体に具備された何れの前記圧力センサにおいても圧力を検知しない場合、または前記二つの筐体に具備された何れの温度センサにおいても前記温度を検知しない場合であって、
前記一方の筐体に具備された前記マイクにおいて音を検知した場合には、当該一方の筐体に具備された表示部への操作用画面の表示を行い、
前記一方の筐体に具備された前記マイクにおいて音を検知しない場合には、他方の筐体に具備された表示部への操作用画面の表示を行う
ことを特徴とする請求項５に記載の処理方法。
【請求項７】
前記二つの筐体がそれぞれ前記表示部に指接触検知手段を具備し、
動作停止部が、前記画面制御部によって前記操作用画面を表示すると判定された筐体とは異なる筐体の前記表示部に具備された指接触手段の動作を停止する
ことを特徴とする請求項５または請求項６に記載の処理方法。
【請求項８】
二つの筐体がヒンジによって連結され、前記ヒンジを軸として開閉自在の二つ折り携帯端末であって、
前記二つの筐体がそれぞれ、該筐体をユーザが把持した圧力を検知する圧力センサと、該筐体をユーザが把持した際の温度を検知する温度センサとを内部に具備した携帯端末のコンピュータを、
前記二つの筐体が前記ヒンジを軸として開状態となったことを検出する開閉検出手段、
前記開状態である場合に、前記二つの筐体のうちの何れか一方の筐体に具備された前記圧力センサで圧力を検知したか、または前記一方の筐体に具備された前記温度センサで温度を検知したか、を判定するセンサ検知有無判定手段、
前記圧力を検知した圧力センサ、または前記温度を検知した温度センサを備えた筐体の表示部への操作用画面の表示を制御する画面制御手段、
として機能させ、
前記画面制御手段は、前記コンピュータを、
前記一方の筐体に具備された前記圧力センサにおいて圧力を検知した場合、または前記一方の筐体に具備された温度センサにおいて前記温度を検知した場合には、当該一方の筐体に具備された表示部への操作用画面の表示を行い、
前記一方の筐体に具備された前記圧力センサにおいて圧力を検知しない場合、または前記一方の筐体に具備された温度センサにおいて前記温度を検知しない場合には、他方の筐体に具備された表示部への操作用画面の表示を行う手段として機能させることを特徴とするプログラム。
【請求項９】
前記二つの筐体がそれぞれ、前記ユーザの音声を検知するマイクと、音声を発するスピーカと、をさらに具備した前記携帯端末のコンピュータを、
前記画面制御手段が、
前記二つの筐体に具備された何れの前記圧力センサにおいても圧力を検知しない場合、または前記二つの筐体に具備された何れの温度センサにおいても前記温度を検知しない場合に、
前記一方の筐体に具備された前記マイクにおいて音を検知した場合には、当該一方の筐体に具備された表示部への操作用画面の表示を行い、
前記一方の筐体に具備された前記マイクにおいて音を検知しない場合には、他方の筐体に具備された表示部への操作用画面の表示を行う手段として機能させることを特徴とする請求項８に記載のプログラム。
【請求項１０】
前記二つの筐体がそれぞれ前記表示部に指接触検知手段をさらに具備した前記携帯端末のコンピュータを、
前記画面制御部によって前記操作用画面を表示すると判定された筐体とは異なる筐体の前記表示部に具備された指接触手段の動作を停止する動作停止手段、
として機能させることを特徴とする請求項８または請求項９に記載のプログラム。
【発明の詳細な説明】
【技術分野】
【０００１】
本発明は、表示部に表示させる画面情報を制御する携帯端末及びその処理方法とプログラムに関する。
【背景技術】
【０００２】
様々な形状の携帯電話が普及しているが、二つ折りの開閉式タイプの携帯電話が多く存在する。これらの二つ折りの開閉式タイプの携帯電話のデザインは、製造メーカにより異なるが、表示部を備えた表示筐体と、操作部を備えた操作筐体の厚みが、ほぼ同じであるものが多い。そのため、いざ使用する際にどちらの筐体が表示筐体なのか、または操作筐体なのかを直ぐに確認できず、目視で確認してから持ち直したり、筐体を一度開いてから筐体の向きを変えて持ち直したりする手間が生じる。
ここで、先行技術として、表示部をそれぞれ備えた二つの筐体の何れに操作用画面を表示するかを判定して切り換える技術が特許文献１および特許文献２に開示されている。
【先行技術文献】
【特許文献】
【０００３】
【特許文献１】特開２００６−２７９７６９号公報
【特許文献２】特開２０１０−１９３５５号公報
【発明の概要】
【発明が解決しようとする課題】
【０００４】
しかしながら、上述の特許文献１の技術は、利用者に対する相対的な傾きを検出して、その傾きに基づいて操作用画面を表示するものではないため、利用者の体勢によっては、所望の向きとは逆の筐体の表示部に操作用画面を表示してしまう虞がある。
また、特許文献２の技術では、温度センサによってユーザの把持している筐体を検出し、その筐体の表示部に操作用画面を表示する技術であるが、センサの存在する位置において手や指の温度を検出できなかった場合には、所望の向きとは逆の筐体の表示部に操作画面を表示してしまう虞がある。
【０００５】
そこでこの発明は、上述の課題を解決することのできる携帯端末及びその処理方法とプログラムを提供することを目的としている。
【課題を解決するための手段】
【０００６】
上記目的を達成するために、本発明は、二つの筐体がヒンジによって連結され、前記ヒンジを軸として開閉自在の二つ折り携帯端末であって、前記二つの筐体がそれぞれ、該筐体をユーザが把持した圧力を検知する圧力センサと、該筐体をユーザが把持した際の温度を検知する温度センサとを内部に具備し、前記二つの筐体が前記ヒンジを軸として開状態となったことを検出する開閉検出部と、前記開状態である場合に、前記二つの筐体のうちの何れか一方の筐体に具備された前記圧力センサで圧力を検知したか、または前記一方の筐体に具備された前記温度センサで温度を検知したか、を判定するセンサ検知有無判定部と、前記圧力を検知した圧力センサ、または前記温度を検知した温度センサを具備した筐体に具備された表示部への操作用画面の表示を制御する画面制御部と、を備えることを特徴とする携帯端末である。
【０００７】
また本発明は、二つの筐体がヒンジによって連結され、前記ヒンジを軸として開閉自在の二つ折り携帯端末であって、前記二つの筐体がそれぞれ、該筐体をユーザが把持した圧力を検知する圧力センサと、該筐体をユーザが把持した際の温度を検知する温度センサとを内部に具備した前記携帯端末における処理方法であって、開閉検出部が、前記二つの筐体が前記ヒンジを軸として開状態となったことを検知し、センサ検知有無判定部が、前記開状態である場合に、前記二つの筐体のうちの何れか一方の筐体に具備された前記圧力センサで圧力を検知したか、または前記一方の筐体に具備された前記温度センサで温度を検知したか、を判定し、画面制御部が、前記圧力を検知した圧力センサ、または前記温度を検知した温度センサを具備した筐体に具備された表示部への操作用画面の表示を制御する前記画面制御部は、前記一方の筐体に具備された前記圧力センサにおいて圧力を検知した場合、または前記一方の筐体に具備された温度センサにおいて前記温度を検知した場合には、前記一方の筐体に具備された表示部への操作用画面の表示を行い、前記一方の筐体に具備された前記圧力センサにおいて圧力を検知しない場合、または前記一方の筐体に具備された温度センサにおいて前記温度を検知しない場合には、他方の筐体に具備された表示部への操作用画面の表示を行うことを特徴とする処理方法である。
【０００８】
また本発明は、二つの筐体がヒンジによって連結され、前記ヒンジを軸として開閉自在の二つ折り携帯端末であって、前記二つの筐体がそれぞれ、該筐体をユーザが把持した圧力を検知する圧力センサと、該筐体をユーザが把持した際の温度を検知する温度センサとを内部に具備した携帯端末のコンピュータを、前記二つの筐体が前記ヒンジを軸として開状態となったことを検出する開閉検出手段、前記開状態である場合に、前記二つの筐体のうちの何れか一方の筐体に具備された前記圧力センサで圧力を検知したか、または前記一方の筐体に具備された前記温度センサで温度を検知したか、を判定するセンサ検知有無判定手段、前記圧力を検知した圧力センサ、または前記温度を検知した温度センサを具備した筐体に具備された表示部への操作用画面の表示を制御する画面制御手段、として機能させ、前記画面制御手段は、前記コンピュータを、前記一方の筐体に具備された前記圧力センサにおいて圧力を検知した場合、または前記一方の筐体に具備された温度センサにおいて前記温度を検知した場合には、前記一方の筐体に具備された表示部への操作用画面の表示を行い、前記一方の筐体に具備された前記圧力センサにおいて圧力を検知しない場合、または前記一方の筐体に具備された温度センサにおいて前記温度を検知しない場合には、他方の筐体に具備された表示部への操作用画面の表示を行う手段として機能させることを特徴とするプログラムである。
【発明の効果】
【０００９】
本発明によれば、２つ折りの携帯端末１の一方の筐体を把持して開状態としたときに、その筐体に操作用画面が表示されるため、ユーザは携帯端末１のどちらの筐体を把持すればよいかを気にする事なく利用する事が可能となる。これにより、ポケットやホルダー、鞄の中や暗闇など、ユーザが筐体の向きを判断しにくい場所にあっても、筐体の向きを確認せずに利用する事ができ、操作性が向上する効果がある。また、温度センサだけでなく、圧力センサを利用しているため、誤動作する確率が減少し、操作性を向上させることができる。
【図面の簡単な説明】
【００１０】
【図１】第１の実施形態による携帯端末の外観を示す第１の図である。
【図２】第１の実施形態による携帯端末の機能構成を示すブロック図である。
【図３】第１の実施形態による制御部の機能構成を示すブロック図である。
【図４】第１の実施形態による携帯端末に対する各種センサの配置位置を示す図である。
【図５】第１の実施形態による携帯端末の処理フローを示す図である。
【図６】第１の実施形態による携帯端末の処理の概要を示す図である。
【図７】第３の実施形態による携帯端末の外観を示す図である。
【図８】第３の実施形態による携帯端末の機能構成を示すブロック図である。
【図９】第３の実施形態による携帯端末の処理フローを示す図である。
【図１０】第３の実施形態による携帯端末の処理の概要を示す図である。
【図１１】第４の実施形態による制御部の機能構成を示すブロック図である。
【図１２】第５の実施形態による制御部の機能構成を示すブロック図である。
【発明を実施するための形態】
【００１１】
＜第１の実施形態＞
以下、本発明の第１の実施形態による携帯端末を図面を参照して説明する。
図１は第１の実施形態による携帯端末の外観を示す第１の図である。
この図において、符号１は携帯端末である。当該携帯端末１は、図１で示すように、筐体２００−１（第１の筐体）および筐体２００−２（第２の筐体）がヒンジ２０１を介して連結された構成となっており、かつ、筐体２００−１および筐体２００−２は、ヒンジ２０１を軸として開閉自在となっている。これにより、携帯端末１は二つ折りの構造となっている。ユーザは携帯端末１を使用して通話や通信の操作を行う際、二つ折りになっている携帯端末１を開状態となるように開くことによって、操作を行う。また、当該携帯端末１において、筐体２００−１には表示部２０４−１が、また筐体２００−２には表示部２０４−２が設けられている。
なお、図示していないが、第１の実施形態の携帯端末１の構成には、さらに各筐体それぞれにマイクとレシーバが備わるようにしてもよい。
【００１２】
図２は第１の実施形態による携帯端末の機能構成を示すブロック図である。
この図で示すように、携帯端末１は、筐体２００−１に、開閉検出部２０３、表示部２０４−１、圧力センサ２０５−１、温度センサ２０６−１、制御部２０２を備えている。
ここで、開閉検出部２０３は、機械的または電気的に筐体２００−１と筐体２００−２が開状態であること、または閉状態であることを検出する。開閉検出部２０３は、携帯端末１が開いた状態を検出した場合、この旨を制御部２０２へ通知する。
また表示部２０４−１は、操作用画面やその他の画面を表示する液晶パネルである。また表示部２０４−１にはタッチパネルが備えられた構成となっている。なお、操作用画面はユーザが携帯端末１に操作を指示するための数字や英語や記号のキーを表示部に表示する画面である。表示部２０４−１は、操作用画面を一方の筐体の表示部に表示している場合、その操作用画面で操作されたユーザからの指示をタッチパネル機能を用いて外部から入力し、その情報を制御部２０２へ出力する。
【００１３】
また圧力センサ２０５−１は、ユーザが携帯端末１を把持したときの圧力を検出する素子である。圧力センサ２０５−１は、あらかじめ設定された圧力以上の圧力を感知（検知）した場合、その旨を制御部２０２へ通知する。ここで、あらかじめ設定された圧力とは、筐体２００−１をユーザが把持したときの筐体が受ける圧力である。
また温度センサ２０６−１は、ユーザが携帯端末１を把持したときの温度を検出する素子である。温度センサ２０６−１は、あらかじめ設定された温度以上の温度を感知（検知）した場合、その旨を制御部２０２へ通知する。ここで、あらかじめ設定された温度とは、筐体２００−１をユーザが把持したときの筐体が受ける温度である。
また制御部２０２は、携帯端末１の各処理部を制御する機能部である。
【００１４】
また携帯端末１は、筐体２００−２に、表示部２０４−２、圧力センサ２０５−２、温度センサ２０６−２を備えている。
これら、表示部２０４−２、圧力センサ２０５−２、温度センサ２０６−２の機能は、筐体２００−１に備えられた表示部２０４−１、圧力センサ２０５−２、温度センサ２０６−２の機能と同様である。
なお、本実施形態においては制御部２０２および開閉検出部２０３が筐体２００−１に備えられている場合の例を示しているが、それらのうちの何れか一方または両方が筐体２００−２に備えられるようにしてもよい。
【００１５】
図３は第１の実施形態による制御部の機能構成を示すブロック図である。
この図が示すように、制御部２０２は、センサ検知有無判定部２１、画面制御部２２、動作停止部２３を備えている。
そして、本実施形態の携帯端末１においては、センサ検知有無判定部２１が、携帯端末１を構成する二つの筐体が開状態である場合に、二つの筐体のうちの何れか一方の筐体に具備された圧力センサで圧力を検知したか、または当該一方の筐体に具備された温度センサで温度を検知したか、を判定する。そして画面制御部２２が、圧力を検知した圧力センサ、または温度を検知した温度センサを有する筐体に備えられた表示部への操作用画面の表示を制御する。また、画面制御部２２は、一方の筐体に具備された圧力センサにおいて圧力を検知しない場合、または一方の筐体に具備された温度センサにおいて温度を検知しない場合には、他方の筐体に具備された表示部への操作用画面の表示を行う。
【００１６】
また、二つの筐体はそれぞれ表示部にタッチパネル（指接触検知手段）を備え、画面制御部２２によって操作用画面を表示すると判定された筐体とは異なる筐体の表示部に備えられたタッチパネルの動作を動作停止部２３が停止する処理を行う。
このような処理により、ヒンジ２０１を介して２つの筐体が連結された二つ折りの携帯端末１において、ユーザが把持した側の筐体の表示部に、できるだけ誤りなく操作用画面を表示することができる携帯端末１を提供する。
【００１７】
図４は携帯端末に対する各種センサの配置位置を示す図である。
この図が示すように、筐体２００−１および筐体２００−２はそれぞれ、対応する辺同士がヒンジ２０１を介して連結されており、各筐体はそれぞれヒンジが設けられた辺を中心軸として互いの主面が重なり合う閉状態から、主面同士が離間する開状態まで回動可能となっている。そして筐体２００−１の主面には表示部２０４−１が、また筐体２００−２の主面には表示部２０４−２が備えられており、また筐体２００−１の主面に対応する背面に温度センサ２０６−１が、筐体２００−２の主面に対応する背面に温度センサ２０６−２が備えられている。また、各筐体の主面と背面とを接続する側面には圧力センサ２０５−１および２０５−２が設けられている。
そしてこのような構成により、携帯端末１を開いた際、筐体を手で把持する力を圧力センサ２０５−１もしくは２０５−２にて感知したり、筐体を手で把持する温度を温度センサ２０６−１もしくは２０６−２にて感知する事が可能となる。
【００１８】
図５は第１の実施形態による携帯端末の処理フローを示す図である。
まず、携帯端末１の開閉検出部２０３は、携帯端末１が開いた状態であるかどうかを検出する（ステップＳ１０１）。そして、携帯端末１が開いた状態であると検出した場合、その旨を制御部２０２へ通知する。次に、制御部２０２のセンサ検知有無判定部２１が、携帯端末１が開いた状態であることの情報を入力すると、圧力センサ２０５−１の検出した圧力値を入力する。そして、センサ検知有無判定部２１は、圧力センサ２０５−１の検出した圧力値が、予めメモリ等に記憶する所定の圧力値以上かを判定する（ステップＳ１０２）。
【００１９】
センサ検知有無判定部２１は、圧力センサ２０５−１の検出した圧力値が所定の圧力値以上である場合には、画面制御部２２へ操作用画面の表示指示を出力する。当該表示指示には、例えば圧力センサの識別情報が格納されているものとする。また、センサ検知有無判定部２１は、動作停止部２３へも圧力センサ２０５−１の識別情報を出力する。ここで、画面制御部２２は圧力センサの識別情報に対応する表示部の識別情報を予めメモリ等に記憶しているものとする。従って、画面制御部２２は、圧力センサ２０５−１の識別情報に対応付けられてメモリに記録されている表示部２０４−１の識別情報を読取り、これにより操作用画面を表示する表示部２０４−１を認識する。そして、画面制御部２２は表示部２０４−１へ操作用画面を出力する（ステップＳ１０３）。
【００２０】
一方、動作停止部２３は、圧力センサ２０５−１の識別情報を入力した際には、当該圧力センサ２０５−１が備えられている筐体２００−１とは異なる筐体２００−２の表示部２０４−２に備えられたタッチパネルの動作を停止するよう処理する処理部である。または、動作停止部２３は、圧力センサ２０５−２の識別情報を入力した際には、当該圧力センサ２０５−２が備えられている筐体２００−２とは異なる筐体２００−１の表示部２０４−１に備えられたタッチパネルの動作を停止するよう処理する処理部である。今、動作停止部２３は、センサ検知有無判定部２１より圧力センサ２０５−１の識別情報を入力した。従って、動作停止部２３は、圧力センサ２０５−１が備えられている筐体２００−１とは異なる筐体２００−２の表示部２０４−２に備えられたタッチパネルの動作を停止する信号を、表示部２０４−２へ出力する（ステップＳ１０４）。これにより、例えば、表示部２０４−２に備えられたタッチパネルに対する電力出力が停止され、タッチパネルの機能が停止する。このような処理により、操作用画面が表示された表示部２０４−１とは異なる表示部２０４−２にユーザの手や指が接触したとしても、その表示部２０４−２に備えられたタッチパネルの動作が停止しているため、操作ミスを防止することができる。
【００２１】
また、上述のステップＳ１０２において、センサ検知有無判定部２１は、圧力センサ２０５−１の検出した圧力が、所定の圧力以上でないと判定した場合、次に、温度センサ２０６−１の検出した温度値を入力する。そして、センサ検知有無判定部２１は、温度センサ２０６−１の検出した温度値が、予めメモリ等に記憶する所定の温度値以上かを判定する（ステップＳ１０５）。センサ検知有無判定部２１は、温度センサ２０６−１の検出した温度値が所定の温度値以上である場合には、画面制御部２２へ操作用画面の表示指示を出力する。また、センサ検知有無判定部２１は、動作停止部２３へも温度センサ２０６−１の識別情報を出力する。そして、上述のステップＳ１０３およびステップＳ１０４と同様の処理が行われる。
【００２２】
つまり、画面制御部２２は、温度センサ２０６−１の識別情報に対応付けられてメモリに記録されている表示部２０４−１の識別情報を読取り、これにより操作用画面を表示する表示部２０４−１を認識する。そして、画面制御部２２は表示部２０４−１へ操作用画面を出力する（ステップＳ１０３）。また、動作停止部２３は、温度センサ２０６−１が備えられている筐体２００−１とは異なる筐体２００−２の表示部２０４−２に備えられたタッチパネルの動作を停止する信号を、表示部２０４−２へ出力する（ステップＳ１０４）。
【００２３】
また、ステップＳ１０５において、温度センサ２０６−１の検出した温度が、所定の温度以上でないと判定した場合、センサ検知有無判定部２１は、検知無しの情報と、温度センサ２０６−１とを格納した表示指示を画面制御部２２へ出力する。また、センサ検知有無判定部２１は、動作停止部２３へ検知無しの情報と、温度センサ２０６−１の識別情報を出力する。画面制御部２２は、表示指示から検知無しの情報と温度センサ２０６−１の情報を取得すると、当該温度センサ２０６−１とは異なる温度センサ２０６−２に対応付けられてメモリに記録されている表示部２０４−２の識別情報を読取り、これにより操作用画面を表示する表示部２０４−２を認識する。そして、画面制御部２２は表示部２０４−２へ操作用画面を出力する（ステップＳ１０６）。
【００２４】
一方、動作停止部２３は、センサ検知有無判定部２１より検知無しの情報と、温度センサ２０６−１の識別情報を入力する。動作停止部２３は検知無しの情報を入力した場合には、センサ検知有無判定部２１より入力した温度センサ２０６−１の識別情報に基づいて、その温度センサ２０６−１が備えられている筐体２００−１の表示部２０４のタッチパネルの動作を停止すると判定する。そして、動作停止部２３は、入力した温度センサ２０６−１が備えられている筐体２００−１の表示部２０４−１に備えられたタッチパネルの動作を停止する信号を、表示部２０４−１へ出力する（ステップＳ１０７）。これにより、例えば、表示部２０４−１に備えられたタッチパネルに対する電力出力が停止され、タッチパネルの機能が停止する。このような処理により、操作用画面が表示された表示部２０４−２とは異なる表示部２０４−１にユーザの手や指が接触したとしても、その表示部２０４−１に備えられたタッチパネルの動作が停止しているため、誤作動を防止することができる。
【００２５】
上述の処理では、ステップＳ１０２およびステップＳ１０５において、一方の筐体２００−１に備えられたセンサ（圧力センサ２０５−１、温度センサ２０６−１）で所定の値以上のセンサ値が得られなかった場合には、他方の筐体２００−２の表示部２０４−２に操作用画面を表示する処理を直ちに行っている。しかしながら、他方の筐体２００−２に備えられたセンサ（圧力センサ２０５−２、温度センサ２０６−２）で所定の値以上のセンサ値が得られたかについてもさらに判定して、所定値以上のセンサ値が得られた場合にのみ、その筐体２００−２に備えられた表示部２０４−２へ操作用画面を表示する処理を行うようにしてもよい。
【００２６】
図６は第１の実施形態による携帯端末の処理の概要を示す図である。
図６（ａ）は、筐体２００−１の圧力センサ２０５−１もしくは温度センサ２０６−１が感知した場合の例であり、表示部２０４−１には操作用画面が表示され、圧力センサ２０５−２および温度センサ２０６−２が感知していない筐体２００−２側の表示部２０４−２には、所定の情報（一般的にディスプレイ等に表示される情報）が表示され、タッチパネル機能は無効と指示されている例を示している。
他方、図６（ｂ）は、筐体２００−２の圧力センサ２０５−２もしくは温度センサ２０６−２が感知した場合の例であり、表示部２０４−２には操作用画面が表示され、圧力センサ２０５−１および温度センサ２０６−１が感知していない筐体２００−１側の表示部２０４−１には、所定の情報（一般的にディスプレイ等に表示される情報）が表示され、タッチパネル機能は無効と指示されている。
【００２７】
以上、第１の実施形態による携帯端末の処理について説明したが、上述の処理によれば、２つ折りの携帯端末１の一方の筐体を把持して開状態としたときに、その筐体に自動的に操作用画面が表示されるため、ユーザは携帯端末１のどちらの筐体を把持すればよいかを気にする事なく利用する事が可能となる。これにより、ポケットやホルダー、鞄の中や暗闇など、ユーザが筐体の向きを判断しにくい場所にあっても、筐体の向きを確認せずに利用する事ができ、操作性が向上する効果がある。
また、温度センサだけでなく、圧力センサを利用しているため、誤動作する確率が減少し、操作性を向上させることができる。
また、使用中（通話、メール、ブラウザー）の携帯端末１を他人に渡す場合、通常は端末の向きを考慮して手渡したり、または手渡した後に、手渡された側のユーザが持ち替えるなど手間が発生したりしていたが、他人へ渡した際に圧力センサあるいは温度センサが作動する事により、それらの手間を省いてスムーズに使用する事が可能となる。
一旦、一方の筐体の表示部に操作用画面が表示されたとしても、センサ検知有無判定部２１が判定をし続け、感知したセンサが切り替わったことを検出すると、上述の処理を最初から開始して、画面制御部２２が他方の表示部へ操作用画面を出力する。
【００２８】
＜第２の実施形態＞
第１の実施形態では、携帯端末１を構成する２つの筐体にそれぞれ圧力センサ２０５−１，２０５−２および温度センサ２０６−１，２０６−２が備えられていたが、第２の実施形態は、圧力センサ２０５−１，２０５−２、または温度センサ２０６−１，２０６−２の何れか一方の種類のセンサのみが各筐体に備えられた場合の例である。
ここで、各筐体２００−１，２００−２に備えられたセンサが、圧力センサ２０５−１，２０５−２である場合には、センサ検知有無判定部２１は、上述の第１の実施形態の処理におけるステップＳ１０２においてＮＯである（所定の値以上の圧力を検知していない）場合には、次に、上述のステップＳ１０５を行わず、センサ検知有無判定部２１は、検知無しの情報と、温度センサ２０６−１とを格納した表示指示を画面制御部２２へ出力し、また、センサ検知有無判定部２１は、動作停止部２３へも検知無しの情報と、温度センサ２０６−１の識別情報を出力し、これにより、ステップＳ１０６およびステップＳ１０７の処理が行われる。
【００２９】
また、各筐体２００−１，２００−２に備えられたセンサが、温度センサ２０６−１，２０６−２である場合には、センサ検知有無判定部２１は、上述の第１の実施形態の処理におけるステップＳ１０２の処理を行わずに、ステップＳ１０１の後、上述のステップＳ１０５を行う。つまり、開状態となった場合、センサ検知有無判定部２１は、温度センサ２０６−１の検出した温度値を入力する。そして、センサ検知有無判定部２１は、ステップＳ１０５と同様に、温度センサ２０６−１の検出した温度値が、予めメモリ等に記憶する所定の温度値以上かを判定する。その後の処理は第１の実施形態と同様である。
【００３０】
＜第３の実施形態＞
図７は第３の実施形態による携帯端末の外観を示す図である。
第３の実施形態における携帯端末１は、図１で示した第１の実施形態の携帯端末１の構成に、さらに各筐体それぞれに必ずマイクとレシーバ（通話相手からの音声を出力する機能）が備わる。
【００３１】
図８は第３の実施形態による携帯端末の機能構成を示すブロック図である。
この図で示すように、第３の実施形態による携帯端末１は、第１の実施形態と同様に、一方の筐体２００−１に、開閉検出部２０３、表示部２０４−１、圧力センサ２０５−１、温度センサ２０６−１、制御部２０２を備え、さらに、レシーバ２０７−１とマイク２０８−１を備えている。
また第３の実施形態による携帯端末１は、第１の実施形態と同様に、他方の筐体２００−２に、表示部２０４−２、圧力センサ２０５−２、温度センサ２０６−２を備え、さらに、レシーバ２０７−２とマイク２０８−２を備えている。
なお、本実施形態においても、制御部２０２および開閉検出部２０３が筐体２００−１に備えられている場合の例を示しているが、それらのうちの何れか一方または両方が筐体２００−２に備えられるようにしてもよい。
【００３２】
第３の実施形態による携帯端末１は、制御部２０２において、マイク２０８−１，２０８−２で検知した音声により、ユーザが使用したい向きを判断し、表示部２０４−１，２０４−２およびマイク２０８−１，２０８−２、レシーバ２０７−１，２０７−２を切り換える処理を行う。
【００３３】
なお、第３の実施形態による制御部２０２は、第１の実施形態で示した制御部２０２の機能構成と同様に、センサ検知有無判定部２１、画面制御部２２、動作停止部２３の各処理部を備えている。画面制御部２２は、第１の実施形態の処理に加え、マイク２０８−１またはマイク２０８−２において検知した音が、所定の音量以上であるかを判定する処理を行う。
【００３４】
図９は第３の実施形態による携帯端末の処理フローを示す図である。
まず、第３の実施形態による携帯端末においては、第１の実施形態と同様にステップＳ１０１〜１０５までの処理が行われる。またステップＳ１０５において温度センサ２０６−１の検出した温度値が所定の温度値以上であると判定した場合の、ステップＳ１０３およびステップＳ１０４の処理も第１の実施形態と同様である。
そして、ステップＳ１０５において、温度センサ２０６−１の検出した温度値が所定の温度値以上で無い場合には、次にセンサ検知有無判定部２１は、マイク２０８−１が処理開始後の何れかの時点において検出した音量値をメモリ等に記録されている情報を読み取って入力する。そして、センサ検知有無判定部２１は、マイク２０８−１の検出した音量値が、予めメモリ等に記憶する所定の音量値以上かを判定する（ステップＳ２０１）。センサ検知有無判定部２１は、マイク２０８−１の検出した音量値が所定の音量値以上である場合には、画面制御部２２へ操作用画面の表示指示を出力する。また、センサ検知有無判定部２１は、動作停止部２３へマイク２０８−１の識別情報を出力する。そして、上述のステップＳ１０３およびステップＳ１０４と同様の処理が行われる。
【００３５】
つまり、画面制御部２２は、マイク２０８−１の識別情報に対応付けられてメモリに記録されている表示部２０４−１の識別情報を読取り、これにより操作用画面を表示する表示部２０４−１を認識する。そして、画面制御部２２は表示部２０４−１へ操作用画面を出力する（ステップＳ１０３）。また、動作停止部２３は、マイク２０８−１が備えられている筐体２００−１とは異なる筐体２００−２の表示部２０４−２に備えられたタッチパネルの動作を停止する信号を、表示部２０４−２へ出力する（ステップＳ１０４）。
【００３６】
また、ステップＳ２０１において、マイク２０８−１の検出した音量値が、所定の音量値以上でないと判定した場合、センサ検知有無判定部２１は、検知無しの情報と、マイク２０８−１の識別情報とを格納した表示指示を画面制御部２２へ出力する。また、センサ検知有無判定部２１は、動作停止部２３へも検知無しの情報と、マイク２０８−１の識別情報を出力する。画面制御部２２は、表示指示から検知無しの情報とマイク２０８−１の情報を取得すると、当該マイク２０８−１とは異なるマイク２０８−２に対応付けられてメモリに記録されている表示部２０４−２の識別情報を読取り、これにより操作用画面を表示する表示部２０４−２を認識する。そして、画面制御部２２は表示部２０４−２へ操作用画面を出力する（ステップＳ１０６）。
【００３７】
一方、動作停止部２３は、センサ検知有無判定部２１より検知無しの情報と、マイク２０８−１の識別情報を入力する。動作停止部２３は検知無しの情報を入力した場合には、センサ検知有無判定部２１より入力したマイク２０８−１の識別情報に基づいて、そのマイク２０８−１が備えられている筐体２００−１の表示部２０４のタッチパネルの動作を停止すると判定する。そして、動作停止部２３は、入力したマイク２０８−１が備えられている筐体２００−１の表示部２０４−１に備えられたタッチパネルの動作を停止する信号を、表示部２０４−１へ出力する（ステップＳ１０７）。これにより、例えば、表示部２０４−１に備えられたタッチパネルに対する電力出力が停止され、タッチパネルの機能が停止する。このような処理により、操作用画面が表示された表示部２０４−２とは異なる表示部２０４−１にユーザの手や指が接触したとしても、その表示部２０４−１に備えられたタッチパネルの動作が停止しているため、誤作動を防止することができる。
【００３８】
このような処理により、仮に圧力センサや温度センサで圧力や温度を検知できなかった場合でも、マイク２０８−１やマイク２０８−２による音声認識機能により、ユーザが意図する筐体の表示部に操作用画面を表示させることができる。
ここで、第１の実施形態同様に、一旦、一方の筐体の表示部に操作用画面が表示されたとしても、センサ検知有無判定部２１が判定をし続け、感知したセンサが切り替わったことを検出すると、上述の処理を最初から開始して、画面制御部２２が他方の表示部へ操作用画面を出力する。
また第３の実施形態による上述の処理では、一方の筐体２００−１に備えられたセンサ（圧力センサ２０５−１、温度センサ２０６−１、マイク２０８−１）で所定の値以上のセンサ値が得られなかった場合には、他方の筐体２００−２の表示部２０４−２に操作用画面を表示する処理を直ちに行っている。しかしながら、他方の筐体２００−２に備えられたセンサ（圧力センサ２０５−２、温度センサ２０６−２、マイク２０８−２）で所定の値以上のセンサ値が得られたかについてもさらに判定して、所定値以上のセンサ値が得られた場合にのみ、その筐体２００−２に備えられた表示部２０４−２へ操作用画面を表示する処理を行うようにしてもよい。
【００３９】
図１０は、第３の実施形態による携帯端末の処理の概要を示す図である。
図１０（ａ）は、筐体２００−１の圧力センサ２０５−１、または温度センサ２０６−１、またはマイク２０８−１が感知した場合であり、表示部２０４−１には操作用画面が表示され、圧力センサ２０５−２、温度センサ２０６−２、マイク２０８−１が感知していない筐体２００−２側の表示部２０４−２には、所定の情報（一般的にディスプレイ等に表示される情報）が表示され、タッチパネル機能は無効と指示されている。
他方、図１０（ｂ）は、筐体２００−２の圧力センサ２０５−２、温度センサ２０６−２、マイク２０８−２が感知した場合であり、表示部２０４−２には操作用画面が表示され、圧力センサ２０５−１、温度センサ２０６−１、マイク２０８−１が感知していない筐体２００−１側の表示部２０４−１には、所定の情報（一般的にディスプレイ等に表示される情報）が表示され、タッチパネル機能は無効と指示されている。
【００４０】
＜第４の実施形態＞
図１１は、第４の実施形態による制御部の機能構成を示すブロック図である。
第４の実施形態は、上述の第１〜第３の実施形態の構成に加え、図１１で示すように、携帯端末１が消費電力を低減させるための画面表示制御部２４の機能部を、制御部２０２内に有している場合の例である。
本実施形態では、例えば、上述のステップＳ１０４およびステップＳ１０７において、動作停止部２３がタッチパネルの動作を停止する処理を行うのと同時に、画面表示制御部２４が、当該動作の停止されるタッチパネルを備えた表示部へ電力低減要求を行う。これにより電力低減要求を受けた表示部は、表示部の電源ＯＦＦまたは表示部の明るさを暗くする制御を行うようにしてもよい。
【００４１】
＜第５の実施形態＞
第３の実施形態の説明において、図１０を示し、携帯端末１の２つの筐体２００−１，２００−２が、レシーバ２０７−１，２０７−２それぞれを、またマイク２０８−１，２０８−２それぞれを備える場合の例について説明したが、本実施形態においては、操作用画面を表示部に出力する際に、当該表示部を備えた筐体のマイクをＯＮ，レシーバをＯＦＦにし、他方の筐体のマイクをＯＦＦ，レシーバをＯＮに制御する。
【００４２】
図１２は第５の実施形態による制御部の機能構成を示すブロック図である。
上述の他の実施形態におけるステップＳ１０３またはステップＳ１０６において画面制御部２２は表示部２０４−２へ操作用画面を出力するが、これと同時に画面制御部２２は操作用画面を表示すると認識した表示部の識別情報をマイク・レシーバ切替部２５へ出力する。するとマイク・レシーバ切替部２５は、入力した識別情報の表示部の筐体に備えられたマイクへＯＮの情報を出力し、またその筐体に備えられたレシーバへＯＦＦの情報を出力する。他方、マイク・レシーバ切替部２５は、入力した識別情報の表示部とは異なる表示部の筐体に備えられたマイクへＯＦＦの情報を出力し、またその筐体に備えられたレシーバへＯＮの情報を出力する。
例えば、操作用画面を出力する表示部が表示部２０４−１である場合、筐体２００−１に備えられたマイク２０８−１がＯＮ、レシーバ２０７−１がＯＦＦとなる。またこのとき、他方の表示部２０４−２を有する筐体２００−２に備えられたマイク２０８−２がＯＦＦ、レシーバ２０７−２がＯＮとなる。
つまり、マイク・レシーバ切替部２５の処理により、同一筐体（２００−１もしくは２００−２）に備えられた一対のマイクとスピーカは同時に有効とはならず、どちらか一方は無効となるよう制御される。
【００４３】
＜第６の実施形態＞
第６の実施形態による携帯端末１は、他の携帯端末との通話処理における着信を検出した際に、携帯端末１の二つの筐体２００−１，２００−２を開状態としても表示部２０４−１，２０４−２の画面表示を強制的に停止し、これにより消費電力の削減を行う。この場合、制御部２０２は通信処理部から着信有りの情報を入力すると画面制御部２２が、メモリ等に、あらかじめユーザ操作等によって設定された画面表示停止の情報が記録されているかを判定する。そして、画面表示停止の情報を読み取った場合には、画面制御部２２は、画面の表示を停止する。また画面制御部２２は、画面表示の停止の処理を通話状態に遷移しても続ける。
【００４４】
なお、上述の携帯端末は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４５】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４６】
１・・・携帯端末
２１・・・センサ検知有無判定部
２２・・・画面制御部
２３・・・動作停止部
２４・・・画面表示制御部
２５・・・マイク・レシーバ切替部
２００−１，２００−２・・・筐体
２０１・・・ヒンジ
２０２・・・制御部
２０３・・・開閉検出部
２０４−１，２０４−２・・・表示部
２０５−１，２０５−２・・・圧力センサ
２０６−１，２０６−２・・・温度センサ
２０７−１，２０７−２・・・レシーバ
２０８−１，２０８−２・・・マイク
【図１】
2012118771.tif 000003
【図２】
2012118771.tif 000004
【図３】
2012118771.tif 000005
【図４】
2012118771.tif 000006
【図５】
2012118771.tif 000007
【図６】
2012118771.tif 000008
【図７】
2012118771.tif 000009
【図８】
2012118771.tif 000010
【図９】
2012118771.tif 000011
【図１０】
2012118771.tif 000012
【図１１】
2012118771.tif 000013
【図１２】
2012118771.tif 000014